(57)【要約】      （修正有）【課題】塩化ビニル管尺八の難点を克服すべき、弱い息から、お腹の底からの強い息にまで対応でき、竹尺八にも勝るとも劣らない、重量感があって広がりの感じられる、癒しの音色を出せ、しかも超安価にできる共鳴管付尺八を提供する。【解決手段】尺八２と、尺八２の側面に接続され尺八２の音を共鳴させるとともに増幅させる内部空洞の筒である共鳴管４と、からなる。また、共鳴管４の上端部を栓５ｂで封止する。【選択図】図１
0003193087.tif 000002
【実用新案登録請求の範囲】
【請求項１】
尺八と、前記尺八の側面に接続され前記尺八の音を共鳴させるとともに増幅させる共鳴管と、からなることを特徴とする共鳴管付尺八。
【請求項２】
前記共鳴管の上端部を栓で封止したことを特徴とする請求項１に記載の共鳴管付尺八。
【考案の詳細な説明】
【技術分野】
【０００１】
本考案は、尺八の音を共鳴・増幅させるとともに、強い息でも音割れを起こさない共鳴管付尺八に関する。
【背景技術】
【０００２】
尺八は、唄口の切り込みに当てる角度、方向、量を調節しながら、尺八側面に穿設された５つの穴（指穴）の開閉を指で操作し、１２音階の音を奏でる。尺八の音色は癒しの音である。
【０００３】
尺八の音色は、狩猟民族のような西洋の飛んだり跳ねたりのリズム文化ではなく、農作業時の足をすりながら移動する農耕民族のすり足文化の音で、音から音へと間合いの拍子で日本古来の幽玄なる音色の世界を奏でる。
【０００４】
また、息を長く吐き続けることで、座禅を組んで瞑想した時のようになり、脳を休ませ、とらえどころのない不安のようなストレスから開放され自律神経が安定することは周知の通りで、健康維持に役立つ。そのようなことから、幽玄なる音色を奏でる尺八の演奏に憧れる人々は、沢山いる。
【０００５】
健康を考えると、命の基の呼吸がまず先に頭に浮かび、腹式呼吸をして、代謝を高め、癒しの音色で、心の健康を考えようと、尺八吹奏に関心を抱く人々は多く、時代背景的にも、健康は、国や他人任せでは守れなくなってきているのも事実である。
【０００６】
しかし、初心者が尺八を手にしたとき、全く音を奏でることができず、無理だと諦める者が多いことが知られており、残念なことであった。
【０００７】
尺八は二千年以上の歴史があり、古来より七つの節を持った真竹で製作し、この竹尺八にも一長一短がある。近年化学技術の進歩発展により、プラスチック成型、木製の尺八模倣品が作られているが、それぞれ一長一短がある。
【０００８】
（竹製尺八）
自然素材である竹は、曲がり具合や、内径、肉質の厚み、繊維の密度など一本一本違うため、これを正しい音律で、幽玄な音色を醸成できる楽器に仕立て上げるのには、長い経験と技術、気力が必要となる。
【０００９】
七つの節をくりぬき、息の力だけで、真竹管内の空気分子を振動させ、しかも重量感のある音色を作れる管内の仕立は、内径の大きさ、息のスムーズな流れ、水分を多く含んだ息による耐久性などが考慮されている。真竹の節を抜いて凹凸荒れた管内を、石膏などの硬質なもので塗り固め、盛り上げたり削ったり何度も何度も繰り返しながら研ぎ出し、内面を整えて調律する。表面には漆などを塗って、水分に対し耐久性を持たせる。
【００１０】
この様な工程を経ることで、真竹管内の内表面は硬質に、それを包む中間部は、竹繊維が通った、空気分子を多く含むコルク状、またその外側の尺八表面は硬い外皮という構造になり、共鳴しやすいサンドイッチ構造の円筒となっている。
【００１１】
しかしながらこの構造が欠点になる。内壁、中間部のコルク状、表面の外皮、この三層構造で、中間部のコルク状は空気分子を多く含むため、環境温度上下による、湿度変化で、常に膨張したり、収縮したりする。
【００１２】
この構造材質の収縮率の違いで、急激な温度変化に対応できなくなり、尺八が裂けてしまう事があり、尺八の管理には気を使わねばならなかった。また、高く軽いシャープな音色を出す、真竹と比べると細く比重の軽い、篠竹を使う篠笛などがある。一方、尺八は重厚な音色を醸し出すため、比重の重い真竹の根の部分、石膏などの硬質部分の割合を多くする。
【００１３】
この事が、力強い息を丹田から押し出す技術のない初心者には、尺八管を思うように振動させることができなく、扱いにくいものにしている。
（プラスチック及び木製尺八）
律が安定した均一な仕上がりの、工業製品として大量に生産可能で、ランニングコストが下がり、人々に喜ばれる。しかし、竹製を模して型を作っての製作なので、まがい物の感がぬぐえなく、プラスチック成形品も、木製品も堅木で作るため、同様に肉厚で、比重が重くなり、竹製と同様初心者には扱いにくいものが殆どである。
【００１４】
そして、竹製の尺八のように、筒が前述の三層構造になっていなく均一であるので、期待した広がりのある、幽玄な音色を出すことはできない。
【００１５】
（塩化ビニル管尺八）
他方、尺八演奏で一番大事なのは唇の形である。次に息を唄口の切り込みに吹き当てる角度、方向とその量である。音階を奏でる指使いは音が発せられるようになってから十分学ぶことができるし、継続して練習することで上達もする。
【００１６】
そこで、考案者は、はじめての尺八の音出しを、スムーズに行えるように、音出しだけに専念できる、塩化ビニル製の練習用尺八（特許文献１）を開発した。
【００１７】
また、古来よりの難解な尺八楽譜を、解りやすい数字譜に置き換え、ハードルを下げ、手軽に楽しく健康増進のために活用できる、尺八用音階早見表（特許文献２）、尺八用楽譜（特許文献３）を開発し、尺八吹奏の道を容易にした。
【００１８】
また、練習用尺八（特許文献１）に合わせて、尺八のように音階を奏でることができる、すなわち音階に対応した穴が穿設された塩化ビニル製尺八も開発している。
【００１９】
材料はどこでも簡単に入手でき、また特殊な機械設備がなくても、わずかな工具で、手軽に、律の安定した尺八を超安価で作ることができる。しかも管は硬質で肉厚は３ミリ程度なので、初心者の出す弱い息でも音出しが可能になる。
【００２０】
しかしながら、長所は欠点にもなり、吹手が経験を積んで、呼吸力が備わってくると、管厚が３ミリ程度の普通塩化ビニル管では、その振動を受け止められなくなり、音がひっくり返ってしまい（音割れ）、奏でるような奏法しかできない。ソプラノリコーダの様な吹き方となる。
【先行技術文献】
【特許文献】
【００２１】
【特許文献１】実用新案登録第３１７５９１６号公報（練習用尺八）
【特許文献２】実用新案登録第３１８５０５３号公報（尺八用音階早見表）
【特許文献３】実用新案登録第３１８５７６８号公報（尺八用楽譜）
【考案の概要】
【考案が解決しようとする課題】
【００２２】
そこで、本考案は、塩化ビニル管尺八の難点を克服すべき、弱い息から、お腹の底からの強い息にまで対応でき、竹尺八にも勝るとも劣らない、重量感があって広がりの感じられる、癒しの音色を出せ、しかも超安価にできる共鳴管付尺八を提供する。
【課題を解決するための手段】
【００２３】
本考案は、上記の課題を解決するために、
（１）
尺八と、前記尺八の側面に接続され前記尺八の音を共鳴させるとともに増幅させる共鳴管と、からなることを特徴とする共鳴管付尺八。
（２）
前記共鳴管の上端部を栓で封止したことを特徴とする（１）に記載の共鳴管付尺八。
とした。
【考案の効果】
【００２４】
本考案は、主管に共鳴管を密着させ、主管が醸し出す、幽玄な癒しの音色の振動音を共鳴管に共振させ、その音色に幅と重厚さを醸成することができるようになる。弦楽器のギターや三味線なども、共鳴箱がなくて、弦や糸だけの振動音だけでは、つまらないものとなってしまう。
【００２５】
主管に副管が密着されているため、息の弱いわずかな主管の振動でも共鳴する事で音が出る。強い息に対しても、振動する体積（重量）が増していることから対応できるのである。塩化ビニル管も重量のある特殊な管（ライナー入り）を採用すると、さらに効果的である。
【００２６】
主管と副管の塩化ビニル管は、それぞれ管径が２６ミリで、共鳴管付尺八の幅は、合計５２ミリで、掌に収まり運指には何ら支障はなく（図７）、音楽ホールで吹奏しているような響きのある音色が出せ、正に、塩化ビニル管だからこそ出来る技なのである。
【００２７】
奏でるようなやさしい息から、お腹の底から気の入った、力強い息まで吹き込めることにより、横隔膜の上下運動を盛んにし、内蔵諸器官へのマッサージ効果で代謝を高められ、まさに健康増進尺八として活用できるようになる。
【００２８】
音楽もグローバル化する中、気候環境を気にすることなく持ち運べ、洗うことも出来、衛生的である。
【図面の簡単な説明】
【００２９】
【図１】本考案である共鳴管付尺八の一例の正面図である。
【図２】本考案である共鳴管付尺八の一例の背面図である。
【図３】本考案である共鳴管付尺八の一例の左側面図である。
【図４】本考案である共鳴管付尺八の一例の平面図である。
【図５】本考案である共鳴管付尺八の一例の底面図である。
【図６】図１のＡ−Ａ‘（Ａ）、Ｂ−Ｂ’（Ｂ）、Ｃ−Ｃ‘（Ｃ）断面図模式図である。
【図７】共鳴管付尺八の使用時の写真である。
【考案を実施するための形態】
【００３０】
以下、添付の図面を参照し、本考案の実施の形態について詳細に説明する。なお、本考案は、下記の実施例に限定されるものではない。
【実施例１】
【００３１】
図１から図６に示すように、本考案である共鳴管付尺八１は、尺八２と、共鳴管５とからなる。
【００３２】
尺八２は、主管３と、口部４とからなり、貫通孔３ｉを備える。
【００３３】
主管３は、音階を決める穴３ａ、３ｂ、３ｃ、３ｄが正面に４つ、背面に穴３ｅが１つ穿設され、両端が開口した樹脂製、例えば、塩化ビニル製の管である。
【００３４】
主管３は、さらには、温度等による伸縮に耐性の強い、ライナー３ｈでライニングされた水道管（ライニング管）が好ましい。ここでは主管３内部に埋没するライナー３ｈを例示したが、主管３内部に硬質樹脂をコーティングした塩化ビニルライニング管であってもよい。ライニング管は、通常の塩化ビニルより重さ、体積が増し、強い息の吹きかけ、振動をも受け止め、音割れを防止することができる。主管３の長さは自由であり、短いと高音で長いと低音になる。特に、主管３が短い場合に、音割れが頻発する。後述の口部４、副管５ａにおいても同じである。
【００３５】
口部４は、主管３の一方の端部に嵌められた樹脂製、例えば、塩化ビニル製の管である。口部４の外径は、主管３の外径よりも大きく、また口部４の内径は主管３の外径とほぼ等しく、口部４の上端は主管３の上端まで達している。そして、主管３と口部４とは接着されている。
【００３６】
その上で、主管３と口部４が嵌合した部分の一側面は斜めに削られた傾斜部３ｆ、４ｂとし、傾斜部３ｆの端部の中央をさらに削り込まれ、正面半楕円形状の切欠き３ｇを備えて唄口４ａとし、反一側面には顎に当てる当接部４ｃとした。当接部４ｃの角は、図３等に示すように、緩やかに丸みを帯びた状態に加工され、顎を当てた際に痛みを感じることがない。
【００３７】
共鳴管５は、副管５ａと、栓５ｂからなる。
【００３８】
副管５ａは、主管３と同様に内部にライナー５ｃを備える空洞５ｄの筒で、主管３よりやや短く、底部は同一位置にあり、主管３の側面に、接着剤その他連結具（例えば、金属線による結束）で接続（密着部６）され、尺八２の音で共鳴する。栓５ｂは、副管５ａの上端部を封止する。例えば木、コルクなどが例示できる。ここでは、主管３の一側面に共鳴管５を備えるが、主管３の両サイドに設けてもよい。さらに、それ以上設けることもできる。
【００３９】
このようにしてなる共鳴管５は、尺八２の音を共鳴させるとともに増幅させ、音割れを防止する。
【００４０】
そして、共鳴管付尺八１は、一般的な竹製尺八と同様に演奏することができる。また、共鳴管付尺八１は塗装してもよい。さらに、主管３と共鳴管５、さらには口部４をも一体成形してもよい。
【００４１】
このようにしてなる共鳴管付尺八１は、図７に示すように、手に収まり、共鳴管５は指動にも邪魔にならず、強い息にも、音割れすることなく、幽玄な癒しの音色の尺八２の振動音を共鳴管５に共振させ、その音色に幅と重厚さを醸成することができ、ホールでの演奏、独奏をも可能にする。
【００４２】
共鳴管付尺八１は、市販の塩化ビニル管を使用することができるので、極めて低廉で、加工も容易なため、簡単に作ることができる。
【符号の説明】
【００４３】
１      共鳴管付尺八
２      尺八
３      主管
３ａ    穴
３ｂ    穴
３ｃ    穴
３ｄ    穴
３ｅ    穴
３ｆ    傾斜部
３ｇ    切欠き
３ｈ    ライナー
３ｉ    貫通孔
４      口部
４ａ    唄口
４ｂ    傾斜部
４ｃ    当接部
５      共鳴管
５ａ    副管
５ｂ    栓
５ｃ    ライナー
５ｄ    空洞
６      密着部
【図１】
0003193087.tif 000003
【図２】
0003193087.tif 000004
【図３】
0003193087.tif 000005
【図４】
0003193087.tif 000006
【図５】
0003193087.tif 000007
【図６】
0003193087.tif 000008
【図７】
0003193087.tif 000009
【手続補正書】
【提出日】平成26年7月11日(2014.7.11)
【手続補正１】
【補正対象書類名】実用新案登録請求の範囲
【補正対象項目名】全文
【補正方法】変更
【補正の内容】
【実用新案登録請求の範囲】
【請求項１】
尺八と、
前記尺八の側面に接続され前記尺八の音を共鳴させるとともに増幅させる内部空洞の筒である共鳴管と、
からなることを特徴とする共鳴管付尺八。
【請求項２】
前記共鳴管の上端部を栓で封止したことを特徴とする請求項１に記載の共鳴管付尺八。